【事件の表示】
　特願２０１３−２６４８５５「タッチパネル装置およびタッチ検出方法」拒絶査定不服審判事件〔平成２７年　７月　２日出願公開、特開２０１５−１２１９１２、請求項の数（４）〕について、次のとおり審決する。
【結　論】
　原査定を取り消す。
　本願の発明は、特許すべきものとする。
【理　由】
第１　手続の経緯
　本願は、平成２５年１２月２４日の出願であって、平成２９年８月７日付けで拒絶理由が通知され、平成２９年１１月１４日付けで手続補正がされ、平成３０年１月２３日付けで拒絶査定がされ、これに対し、平成３０年５月２８日に拒絶査定不服審判が請求され、同時に手続補正がされたものである。
第２　原査定の概要
　原査定（平成３０年１月２３日付け拒絶査定）の概要は、次のとおりである。
　この出願の請求項１−４に係る発明は、以下の引用文献１−３に記載された発明に基づいて、その発明の属する技術の分野における通常の知識を有する者（当業者）が容易に発明できたものであるから、特許法第２９条第２項の規定により特許を受けることができない。
＜引用文献等一覧＞
１．特開２０１２−２４８０３５号公報
２．特開２０１１−８９９３７号公報（周知技術を示す文献）
３．特開２００９−１８１２３２号公報（周知技術を示す文献）」
第３　本願発明
　本願の請求項１−４に係る発明（以下、それぞれ「本願発明１」−「本願発明４」という。）は、平成３０年５月２８日付けの手続補正で補正された特許請求の範囲の請求項１−４に記載された事項により特定される発明であり、本願発明１は以下のとおりの発明である。
「【請求項１】
　静電容量方式のタッチパネルを備えたタッチパネル装置であって、
　前記タッチパネルの各センサで検出されたデータと、所定のベースデータとの差分をとって、１フレーム分の差分データを生成するとともに、差分データに基づいて、タッチの有無を検出する座標計算部と、
　差分データが記憶される積算メモリと、を備え、
　前記座標計算部は、
　前記１フレーム分の差分データを閾値と比較して、前記１フレーム分の差分データが前記閾値以上の場合には、利用者の素手によるタッチが検出された場合であって、前記１フレーム分の差分データに基づいてタッチポイントの座標を計算し、
　前記１フレーム分の差分データを前記閾値と比較して、前記１フレーム分の差分データが前記閾値よりも小さい場合には、非導電性物体によるタッチが検出された場合であって、前記積算メモリにこの差分データを記憶するとともに、前記積算メモリに所定回数積算した差分データに基づいて、積算された前記差分データを前記閾値と比較してタッチの有無を検出する
　タッチパネル装置。」
　なお、本願発明２−４の概要は以下のとおりである。
　本願発明２−３は、本願発明１を減縮した発明である。
　本願発明４は、本願発明１に対応する方法の発明であり、本願発明１とカテゴリー表現が異なるだけの発明である。
第４　引用発明、引用文献等
１．引用文献１について
　原査定の拒絶の理由に引用された上記引用文献１には、図面とともに、次の事項が記載されている（下線は、当審で付与した。）。
「【０００１】
　本発明は、タッチパネルシステムに関し、特に、人指等が接触すること無く、接近することによっても、タッチ操作が可能である高感度なタッチパネルシステムおよびそれを用いた電子機器に関するものである。」
「【００２６】
　以下に、本発明のタッチパネルシステムの実施の形態について、図面を参照しながら説明する。本実施の形態の
タッチパネルシステムは投影型静電容量方式を採用する
【００２７】
　図１に示すように、
タッチパネルシステム１は、タッチパネル１０とタッチパネルコントローラ２０とからなる。タッチパネル１０は、使用者がタッチ操作を行うことにより信号を入力するセンサ１１を備えている。タッチパネルコントローラ２０は、センサ１１からの信号を受信する入力端子と、入力端子に入力された信号を元に、座標値を出力する座標検出手段２１と、座標検出手段２１からの座標情報を一定間隔で取り込み、表示装置に出力等を行うＣＰＵ２２とからなる。座標検出手段２１は、タッチ操作の感度の変更を行うタッチ操作感度変更手段２３を有している。
【００２８】
　尚、本実施の形態におけるタッチパネルシステム１に配置されているセンサ１１は、静電容量方式センサであり、使用者がタッチパネル１０にタッチ操作した際、センサ１１を構成している電極が図１に示すドライブライン−センスライン間の容量値の変化を検出する。
【００２９】
　
タッチパネル１０は、Ｍ本のドライブラインとＬ本のセンスラインとからなり、その交差箇所に静電容量方式によるセンサ１１を構成する。タッチ操作の座標検出動作では、ドライブラインをスキャンしつつ、タッチ操作によるセンサの容量値の変化をセンスラインにて読み取ることにより、タッチ操作された箇所の座標を検出する。この際、検出される容量値の変化値が小さい場合を考慮して、読み取り動作を複数回行い、タッチパネルからの受信信号を上記複数回の読み取り動作に対応させて複数回積算して信号値を増大させる操作が行われている。
【００３０】
　図２に、この読み取り操作を複数回行っている状況を示す。図２（ａ）は
上記読み取り操作が８回行われている場合
では、読み取り操作が８回行われた結果の信号積算値がタッチ操作検出閾値を超え
た場合に、使用者がタッチ操作を行ったと判定される。
「【００３６】
　例えば、本タッチパネルシステムの感度を低下させるために、タッチパネル読み取り回数を、図２（ａ）に示す８回から図２（ｂ）に示す３回に減少させた場合を考える。このように読み取り回数が３回に減少された場合、信号積算値がタッチ操作検出閾値を超えておらず、タッチパネルシステム１は、使用者がタッチパネルにタッチ操作を行っていないと判定する。即ち、高感度なタッチパネルシステムであっても、タッチパネル読み取り回数を減少させ、本タッチパネルシステムの感度を低下させることで、意図しないタッチ操作が検出されてしまう恐れを解消できる。もちろん、上述のように、
タッチパネル読み取り回数を減少させても、手指
の入力による明確なタッチ操作は検出できる
「【００３８】
　また、上記説明では、意図しないタッチ操作検出による誤動作を防止するために、感度を低減させる処理について説明したが、本タッチパネルシステムでは、
これとは逆に、タッチパネル読み取り回数を増加させて感度をさらに向上させることも可能である。
手袋を装着した状態でタッチ操作を行いたい場合
　したがって、上記引用文献１には次の発明（以下、「引用発明１」という。）が記載されていると認められる。
「投影型静電容量方式を採用するタッチパネルシステムであって（段落【００２６】より。以下、同様。）、
　タッチパネルシステム１は、タッチパネル１０とタッチパネルコントローラ２０とからなり、タッチパネル１０は、使用者がタッチ操作を行うことにより信号を入力するセンサ１１を備え、タッチパネルコントローラ２０は、センサ１１からの信号を受信する入力端子と、入力端子に入力された信号を元に、座標値を出力する座標検出手段２１と、座標検出手段２１からの座標情報を一定間隔で取り込み、表示装置に出力等を行うＣＰＵ２２とからなり、座標検出手段２１は、タッチ操作の感度の変更を行うタッチ操作感度変更手段２３を有し（【００２７】）、
　タッチパネル１０は、Ｍ本のドライブラインとＬ本のセンスラインとからなり、その交差箇所に静電容量方式によるセンサ１１を構成し、タッチ操作の座標検出動作では、ドライブラインをスキャンしつつ、タッチ操作によるセンサの容量値の変化をセンスラインにて読み取ることにより、タッチ操作された箇所の座標を検出するが、この際、検出される容量値の変化値が小さい場合を考慮して、読み取り動作を複数回行い、タッチパネルからの受信信号を上記複数回の読み取り動作に対応させて複数回積算して信号値を増大させる操作が行われ（【００２９】）、
　上記読み取り操作が８回行われている場合では、読み取り操作が８回行われた結果の信号積算値がタッチ操作検出閾値を超えた場合に、使用者がタッチ操作を行ったと判定され（【００３０】）、
　タッチパネル読み取り回数を減少させても、手指の入力による明確なタッチ操作は検出できるが（【００３６】）、手袋を装着した状態でタッチ操作を行いたい場合、これとは逆に、タッチパネル読み取り回数を増加させて感度をさらに向上させることも可能である（【００３８】）、
  タッチパネルシステム（【００２６】）。」
２．引用文献２について
　原査定の拒絶の理由に、周知技術を示す文献として引用された上記引用文献２には、図面とともに次の事項が記載されている（下線は、当審で付与した。）。
「【０００１】
　本発明は、単数あるいは
複数の検出電極により人の指などの物体の接近や位置を静電結合の変化として捉える、静電結合方式のタッチセンサ
「【００２１】
　また、本発明による静電検出方法は、検出電極２２を有する検出パネル１の各検出電極２２に繰り返し充放電を行う充放電工程５２と、物体の接近により変化する充放電の特性を繰り返し抽出する特性抽出工程５３と、特性抽出工程５３で繰り返し抽出した特性を累積してアナログデジタル変換する累積アナログデジタル変換工程５７と、累積アナログデジタル変換工程５７の出力から物体の接近や位置を求める後処理工程６０と、全体の状態とシーケンスを管理する制御工程５１とにより実現した。ここで、特性抽出工程５３は、充放電工程５２での充放電特性を値に変換するＱＶ変換工程５５と、ＱＶ変換手段の基準電圧（Ｖｒｅｆ）を充放電工程５２の動作と同期して切り換えるＶｒｅｆ選択工程５４、ＱＶ変換工程５５の出力を充放電工程５２の動作と同期して反転させる反転工程５６と、により実現した。・・・」
「【００２７】
　後処理手段５または後処理工程６０では、累積アナログデジタル変換手段４または累積アナログデジタル変換工程５７からのデジタル値により検出パネル１への物体の接近や位置を求める。例えば、後処理手段５または後処理工程６０では、まず必要に応じて、フィルタ処理等による更なるノイズの除去や、
物体が接近していない場合の値をオフセットとして差し引くことにより物体の接近による静電容量の変化に対応した値に変換する。次に、この変化がある値より大きい場合に物体の接近として判定して、接近物体の位置を求めるよう
　したがって、引用文献２には、次の技術的事項が記載されていると認められる。
「複数の検出電極により人の指などの物体の接近や位置を静電結合の変化として捉える、静電結合方式のタッチセンサ（段落【０００１】より。以下、同様。）において、
　物体が接近していない場合の値をオフセットとして差し引くことにより物体の接近による静電容量の変化に対応した値に変換し、次に、この変化がある値より大きい場合に物体の接近として判定して、接近物体の位置を求める（段落【００２７】より。）。」
３．引用文献３について
　原査定の拒絶の理由に、周知技術を示す文献として引用された上記引用文献３には、図面とともに次の事項が記載されている（下線は、当審で付与した。）。
「【０００１】
　本発明は、
タッチパネルのタッチ操作を検出することにより入力操作の操作有無を判定するタッチスイッチ
「【０００８】
　この構成によれば、
タッチ操作を検出する検出手段の検出値が第１閾値（絶対値）を超える場合、この時のタッチ操作をオン判定して、この際に検出手段により抽出される検出位置
をタッチ操作位置として取り出す。
検出手段の検出値が第１閾値は超えないものの第２閾値（絶対値）を超える値をとる際、検出値の特性値が高い値をとっていれば、この時のタッチ操作をオン判定して、この際に検出手段により抽出される検出位置
をタッチ操作位置として取り出し、検出値の特性値が低い値をとるのであれば、この時のタッチ操作をオフ判定して、検出位置をタッチ操作位置として取り出さないようにする
「【００１０】
　しかし、本構成においては、タッチ検出時に検出値が第２閾値をとる場合、検出値の特性値が高い値をとるのであれば、この時は例えば
手袋等をしたままの状態でタッチ操作を行ったとみなし
検出値が一時的に第２閾値を超える非タッチ操作とみなし
素手によるタッチ操作を検出できる
　したがって、引用文献３には、次の技術的事項が記載されていると認められる。
「タッチパネルのタッチ操作を検出することにより入力操作の操作有無を判定するタッチスイッチにおいて（段落【０００１】より。以下、同様。）、
　タッチ操作を検出する検出手段の検出値が第１閾値（絶対値）を超える場合、この時のタッチ操作をオン判定して、この際に検出手段により抽出される検出位置をタッチ操作位置として取り出し（【０００８】）、素手によるタッチ操作を検出できるのみならず（【００１０】）、
　検出手段の検出値が第１閾値は超えないものの第２閾値（絶対値）を超える値をとる際、検出値の特性値が高い値をとっていれば（【０００８】）、手袋等をしたままの状態でタッチ操作を行ったとみなし（【００１０】）、この時のタッチ操作をオン判定して、この際に検出手段により抽出される検出位置をタッチ操作位置として取り出し、
　検出値の特性値が低い値をとるのであれば（【０００８】）、検出値が一時的に第２閾値を超える非タッチ操作とみなし（【００１０】）、この時のタッチ操作をオフ判定して、検出位置をタッチ操作位置として取り出さないようにする（【０００８】）。」
第５　対比・判断
１．本願発明１について
（１）対比
　本願発明１と引用発明１とを対比すると、次のことがいえる。
ア　引用発明１における「タッチパネル１０とタッチパネルコントローラ２０とからな」る、「投影型静電容量方式を採用する」「タッチパネルシステム１」が、本願発明１における「静電容量方式のタッチパネルを備えたタッチパネル装置」に相当する。
イ　引用発明１における「タッチパネル１０」の「Ｍ本のドライブラインとＬ本のセンスラインと」「の交差箇所に静電容量方式によるセンサ１１を構成し、タッチ操作の座標検出動作では、ドライブラインをスキャンしつつ、タッチ操作によるセンサの容量値の変化をセンスラインにて読み取ること」は、「Ｍ本のドライブラインとＬ本のセンスラインと」からなる「１フレーム分のデータを生成」しているといえるから、本願発明１における「前記タッチパネルの各センサで検出されたデータと、所定のベースデータとの差分をとって、１フレーム分の差分データを生成する」ことと、「前記タッチパネルの各センサで検出されたデータを用いて、１フレーム分のデータを生成する」点で共通する。
ウ　上記「イ」を踏まえると、引用発明１における「センサ１１からの信号を受信する」「入力端子に入力された信号を元に、座標値を出力する座標検出手段２１」は、「ドライブラインをスキャンしつつ、タッチ操作によるセンサの容量値の変化をセンスラインにて読み取ることにより、タッチ操作された箇所の座標を検出するが、この際、検出される容量値の変化値が小さい場合を考慮して、読み取り動作を複数回行い、タッチパネルからの受信信号を上記複数回の読み取り動作に対応させて複数回積算して信号値を増大させる操作が行われ」、「上記読み取り操作が８回行われている場合では、読み取り操作が８回行われた結果の信号積算値がタッチ操作検出閾値を超えた場合に、使用者がタッチ操作を行ったと判定され」ることと、本願発明１における「前記タッチパネルの各センサで検出されたデータと、所定のベースデータとの差分をとって、１フレーム分の差分データを生成するとともに、差分データに基づいて、タッチの有無を検出する座標計算部」とは、「前記タッチパネルの各センサで検出されたデータを用いて、１フレーム分のデータを生成するとともに、データに基づいて、タッチの有無を検出する座標計算部」の点で共通する。
エ　引用発明１の「ＣＰＵ２２」による「座標検出手段２１からの座標情報」の「取り込」みが、「メモリ」から行われていることはいうまでもないことである。
　また、「ＣＰＵ２２」が「一定間隔で取り込」む「座標検出手段２１からの座標情報」は、「複数回積算して信号値を増大させ」た信号（具体的には、「８回行われた結果の信号積算値」）であることも明らかである。
　よって、引用発明１における「ＣＰＵ２２」が「複数回積算して信号値を増大させ」た信号（具体的には、「８回行われた結果の信号積算値」）を「取り込」む「メモリ」と、本願発明１における「差分データが記憶される積算メモリ」とは、「データが記憶される積算メモリ」の点で共通するといえる。
オ　上記「エ」を踏まえると、引用発明１における「座標検出手段２１」が、「ドライブラインをスキャンしつつ、タッチ操作によるセンサの容量値の変化をセンスラインにて読み取」った「タッチパネルからの受信信号」を「上記複数回の読み取り動作に対応させて複数回積算して信号値を増大させる操作」を行い、「上記読み取り操作が８回行われている場合では、読み取り操作が８回行われた結果の信号積算値がタッチ操作検出閾値を超えた場合に、使用者がタッチ操作を行ったと判定され」、「タッチ操作された箇所の座標を検出する」ことと、本願発明１における「前記座標計算部は、前記１フレーム分の差分データを閾値と比較して、前記１フレーム分の差分データが前記閾値以上の場合には、利用者の素手によるタッチが検出された場合であって、前記１フレーム分の差分データに基づいてタッチポイントの座標を計算し、前記１フレーム分の差分データを前記閾値と比較して、前記１フレーム分の差分データが前記閾値よりも小さい場合には、非導電性物体によるタッチが検出された場合であって、前記積算メモリにこの差分データを記憶するとともに、前記積算メモリに所定回数積算した差分データに基づいて、積算された前記差分データを前記閾値と比較してタッチの有無を検出する」こととは、「前記座標計算部は、前記積算メモリにこのデータを記憶するとともに、前記積算メモリに所定回数積算したデータに基づいて、積算された前記データを閾値と比較してタッチの有無を検出する」点で共通する。
カ　引用発明１における「タッチパネルシステム１」が、本願発明１における「タッチパネル装置」に相当する。
　したがって、本願発明１と引用発明１と間には、次の一致点、相違点があるといえる。
（一致点） 
 「静電容量方式のタッチパネルを備えたタッチパネル装置であって、
　前記タッチパネルの各センサで検出されたデータを用いて、１フレーム分のデータを生成するとともに、データに基づいて、タッチの有無を検出する座標計算部と、データが記憶される積算メモリと、を備え、前記座標計算部は、前記積算メモリにこのデータを記憶するとともに、前記積算メモリに所定回数積算したデータに基づいて、積算された前記データを閾値と比較してタッチの有無を検出する、
　タッチパネル装置。」
（相違点）
（相違点１）
　本願発明１では、「前記タッチパネルの各センサで検出されたデータと、所定のベースデータとの差分をとって、１フレーム分の差分データを生成」し「差分データに基づいて、タッチの有無を検出する」のに対し、引用発明１では、「ドライブラインをスキャンしつつ、タッチ操作によるセンサの容量値の変化をセンスラインにて読み取」って「タッチ操作」を「検出」しているものの、読み取ったセンサの容量値の変化と、所定のベースデータとの差分をとって、１フレーム分の差分データを生成し、差分データに基づいてタッチ操作を検出することは示されていない点。
（相違点２）
　本願発明１では、「前記座標計算部は、前記１フレーム分の差分データを閾値と比較して、前記１フレーム分の差分データが前記閾値以上の場合には、利用者の素手によるタッチが検出された場合であって、前記１フレーム分の差分データに基づいてタッチポイントの座標を計算し、前記１フレーム分の差分データを前記閾値と比較して、前記１フレーム分の差分データが前記閾値よりも小さい場合には、非導電性物体によるタッチが検出された場合であって、前記積算メモリにこの差分データを記憶するとともに、前記積算メモリに所定回数積算した差分データに基づいて、積算された前記差分データを前記閾値と比較してタッチの有無を検出する」構成を有するのに対し、
　引用発明１における「座標検出手段２１」は、「ドライブラインをスキャンしつつ、タッチ操作によるセンサの容量値の変化をセンスラインにて読み取」った「タッチパネルからの受信信号」を「上記複数回の読み取り動作に対応させて複数回積算して信号値を増大させる操作」を行い、「上記読み取り操作が８回行われている場合では、読み取り操作が８回行われた結果の信号積算値がタッチ操作検出閾値を超えた場合に、使用者がタッチ操作を行ったと判定され」、「タッチ操作された箇所の座標を検出」するものであって、併せて「タッチパネル読み取り回数を減少させても、手指の入力による明確なタッチ操作は検出でき」ること、及び、「手袋を装着した状態でタッチ操作を行いたい場合、これとは逆に、タッチパネル読み取り回数を増加させて感度をさらに向上させること」が示されているに過ぎない点。
（２）相違点についての判断
ア　事案に鑑みて、まず、上記相違点２について検討する。
　引用文献３には、「タッチパネルのタッチ操作を検出することにより入力操作の操作有無を判定するタッチスイッチにおいて、タッチ操作を検出する検出手段の検出値が第１閾値（絶対値）を超える場合」に「素手によるタッチ操作を検出」し、「検出手段の検出値が第１閾値は超えないものの第２閾値（絶対値）を超える値をとる」場合には、「手袋等をしたままの状態でタッチ操作を行ったとみな」すことが記載されている。
イ　しかし、引用文献３に記載された技術的事項を引用発明１に適用しても、引用発明１における「座標検出手段２１」は、まず「タッチパネルからの受信信号」について「複数回積算して信号値を増大させる操作」（例えば「８回」の信号積算）を行ない、その後、「信号積算値」が「第１閾値」を超えた場合に「手指の入力」によるタッチ操作を検出し、「第１閾値は超えないものの第２閾値（絶対値）を超える値をと」った場合に「手袋を装着した状態で」の「タッチ操作」を検出する構成が得られるに過ぎず、上記相違点２に係る本願発明１のような「前記１フレーム分の差分データが前記閾値以上の場合には、利用者の素手によるタッチが検出された」と判定し、「前記１フレーム分の差分データが前記閾値よりも小さい場合には」、「所定回数積算した差分データに基づいて、積算された前記差分データを前記閾値と比較して」「非導電性物体によるタッチ」の有無を検出する構成とはならない。
ウ　また、引用文献２は、「静電結合方式のタッチセンサ」において、「物体が接近していない場合の値をオフセットとして差し引くことにより物体の接近による静電容量の変化に対応した値に変換」することが記載されているに過ぎず、上記相違点２に係る本願発明１の構成は、記載も示唆もされていない。
エ　したがって、本願発明１は、上記相違点１について検討するまでもなく、当業者であっても、引用発明１及び引用文献２−３に記載された技術的事項に基づいて容易に発明できたものであるとはいえない。
２．本願発明２−３について
　本願発明２−３は、本願発明１における上記相違点２に係る構成と同一の構成を備えるものであるから、本願発明１と同じ理由により、当業者であっても、引用発明１及び引用文献２−３に記載された技術的事項に基づいて容易に発明できたものであるとはいえない。
３．本願発明４について
　本願発明４は、本願発明１に対応する方法の発明であり、本願発明１における上記相違点２に係る構成に対応する構成を備えるものであるから、本願発明１と同様の理由により、当業者であっても、引用発明１及び引用文献２−３に記載された技術的事項に基づいて容易に発明できたものとはいえない。
第６　原査定について
　審判請求時の補正により、本願発明１−３は、「前記座標計算部は、前記１フレーム分の差分データを閾値と比較して、前記１フレーム分の差分データが前記閾値以上の場合には、利用者の素手によるタッチが検出された場合であって、前記１フレーム分の差分データに基づいてタッチポイントの座標を計算し、前記１フレーム分の差分データを前記閾値と比較して、前記１フレーム分の差分データが前記閾値よりも小さい場合には、非導電性物体によるタッチが検出された場合であって、前記積算メモリにこの差分データを記憶するとともに、前記積算メモリに所定回数積算した差分データに基づいて、積算された前記差分データを前記閾値と比較してタッチの有無を検出する」という事項を有するものとなっており、当業者であっても、引用発明１及び周知技術（引用文献２、引用文献３）に基づいて、容易に発明できたものではない。
　また、本願発明４も、上記事項に対応する事項を有するものとなっており、当業者であっても、引用発明１及び周知技術（引用文献２、引用文献３）に基づいて、容易に発明できたものではない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。